(57)【要約】  【課題】  コンクリート打設時の型枠の浮き上がり防止と、型枠の持ち運び容易性（ポータビリティー）の確保を、同時に実現することのできるコンクリート基礎施工セットを提供する。  【解決手段】  プレキャストコンクリート基礎ブロック２は、ベース部４と、ベース部４から垂直方向に立ち上がる立ち上がり部５を備える。型枠３は、ベース部４の側面に沿う第１平面部８と、ベース部４の上面に沿う第２平面部９と、立ち上がり部５の側面に沿う第３平面部１０を備える。プレキャストコンクリート基礎ブロック２の間にコンクリートを打設するときに、プレキャストコンクリート基礎ブロック２を外側から挟むように一対の型枠３が設置され、一対の型枠３によってプレキャストコンクリート基礎ブロック２の間にコンクリート打設用の空間が形成される。第２平面部９の面積あたりの型枠３の重量は、０．０４２ｋｇ／ｃｍ2以上であり、型枠３の重量は、４３ｋｇ以下である。【選択図】  図１
2014070465.tif 000002
【特許請求の範囲】
【請求項１】
プレキャストコンクリート基礎ブロックと、施工現場でコンクリートを打設する際に前記プレキャストコンクリート基礎ブロックを外側から挟むように設置される一対の型枠と、を備えるコンクリート基礎施工セットであって、
前記プレキャストコンクリート基礎ブロックは、
水平方向に延びる底板状のベース部と、前記ベース部の中央部から垂直方向に立ち上がる縦板状の立ち上がり部と、を備え、
前記型枠は、
前記ベース部の側面に沿うように形成される第１平面部と、前記ベース部の上面に沿うように前記第１平面部から屈曲して形成される第２平面部と、前記立ち上がり部の側面に沿うように前記第２平面部から屈曲して形成される第３平面部と、を備え、
前記施工現場では、２つの前記プレキャストコンクリート基礎ブロックの間にコンクリートを打設するときに、前記プレキャストコンクリート基礎ブロックを外側から挟むように前記一対の型枠が設置され、前記一対の型枠によって前記２つのプレキャストコンクリート基礎ブロックの間にコンクリート打設用の空間が形成され、
前記第２平面部の面積あたりの前記型枠の重量は、０．０４２ｋｇ／ｃｍ2以上であり、かつ、前記型枠の重量は、４３ｋｇ以下であることを特徴とするコンクリート基礎施工セット。
【請求項２】
前記第２平面部の面積あたりの前記型枠の重量は、０．０４２ｋｇ／ｃｍ2であり、かつ、前記型枠の重量は、３８ｋｇである、請求項１に記載のコンクリート基礎施工セット。
【請求項３】
前記第２平面部の面積あたりの前記型枠の重量は、０．０４７ｋｇ／ｃｍ2であり、かつ、前記型枠の重量は、４３ｋｇである、請求項１に記載のコンクリート基礎施工セット。
【発明の詳細な説明】
【技術分野】
【０００１】
本発明は、プレキャストコンクリート基礎ブロックと、施工現場でコンクリートを打設する際にプレキャストコンクリート基礎ブロックを外側から挟むように設置される一対の型枠とで構成されるコンクリート基礎施工セットに関する。
【背景技術】
【０００２】
従来、建物の基礎の施工方法の一つとして、施工現場でコンクリートを打設して基礎を構築する方法が知られている。ところが、このような施工方法では、施工現場で大量のコンクリートが必要になり、工期も長くなるという問題があった。そのため、大規模な被災地で多数の建物を建て直す場合など、大量のコンクリートを確保しなければならず、かつ、人道上の観点からも短工期が要請されるような状況に、従来の施工方法では対応するのが困難であった。
【０００３】
そこで、近年では、予め工場などでプレキャストコンクリート基礎ブロックを生産し、それを施工現場へ運搬して、基礎を構築する方法が提案されている（例えば特許文献１参照）。この方法では、所定の間隔を置いて配置されたプレキャストコンクリート基礎ブロックを鉄筋で組み上げ、その両側に一対の型枠を装着した後、その一対の型枠の間に形成される空間にコンクリートを打設し、プレキャストコンクリート基礎ブロックと現場で打設したコンクリートを一体化させて基礎を構築する。この方法によれば、プレキャストコンクリート基礎ブロックを用いる分だけ、施工現場で必要とされるコンクリートの量が少なくて済み、工期も短縮することができる。
【先行技術文献】
【特許文献】
【０００４】
【特許文献１】特開２０１１−６４０４７号公報
【発明の概要】
【発明が解決しようとする課題】
【０００５】
しかしながら、プレキャストコンクリート基礎ブロックを用いる上記従来の施工方法においても、施工性を簡便にする余地は残されており、誰でも簡単に施工できるように施工性を更に向上させることが望まれている。
【０００６】
例えば、従来、水平方向に延びる底板状のベース部と、ベース部の中央部から垂直方向に立ち上がる縦板状の立ち上がり部を備えるプレキャストコンクリート基礎ブロックが提案されている。ところが、このプレキャストコンクリート基礎ブロックの形状に沿うように屈曲させた型枠を用いると、施工現場でコンクリートを打設する際に、コンクリートから受ける圧力（上向きの圧力）によって、型枠が浮き上がってしまうおそれがある。そこで、単に型枠の重量を増加させることも考えられるが、型枠の重量を単に増加させてしまうと、今度は、施工現場の作業者が型枠を持ち運ぶことが困難になってしまうという問題が生じることになる。
【０００７】
本発明は、上記の課題に鑑みてなされたもので、コンクリート打設時の型枠の浮き上がり防止と、型枠の持ち運び容易性（ポータビリティー）の確保を、同時に実現することのできるコンクリート基礎施工セットを提供することを目的とする。
【課題を解決するための手段】
【０００８】
本発明のコンクリート基礎施工セットは、プレキャストコンクリート基礎ブロックと、施工現場でコンクリートを打設する際に前記プレキャストコンクリート基礎ブロックを外側から挟むように設置される一対の型枠と、を備えるコンクリート基礎施工セットであって、前記プレキャストコンクリート基礎ブロックは、水平方向に延びる底板状のベース部と、前記ベース部の中央部から垂直方向に立ち上がる縦板状の立ち上がり部と、を備え、前記型枠は、前記ベース部の側面に沿うように形成される第１平面部と、前記ベース部の上面に沿うように前記第１平面部から屈曲して形成される第２平面部と、前記立ち上がり部の側面に沿うように前記第２平面部から屈曲して形成される第３平面部と、を備え、前記施工現場では、２つの前記プレキャストコンクリート基礎ブロックの間にコンクリートを打設するときに、前記プレキャストコンクリート基礎ブロックを外側から挟むように前記一対の型枠が設置され、前記一対の型枠によって前記２つのプレキャストコンクリート基礎ブロックの間にコンクリート打設用の空間が形成され、前記第２平面部の面積あたりの前記型枠の重量は、０．０４２ｋｇ／ｃｍ2以上であり、かつ、前記型枠の重量は、４３ｋｇ以下である。
【０００９】
施工現場では、まず、複数のプレキャストコンクリート基礎ブロックが所定の間隔をあけて設置され、それらのプレキャストコンクリート基礎ブロックの間にコンクリートを打設するときには、プレキャストコンクリート基礎ブロックを外側から挟むように一対の型枠が設置される。そうすると、一対の型枠によって２つのプレキャストコンクリート基礎ブロックの間にコンクリート打設用の空間が形成され、その空間にコンクリートが打設される。この場合、第２平面部の面積あたりの型枠の重量は、０．０４２ｋｇ／ｃｍ2以上であるため、打設されるコンクリートから受ける圧力（上向きの圧力）によって型枠が浮き上がるのを、型枠の自重により防止することができる。その一方、型枠ひとつの重量は、４３ｋｇ以下であるため、施工現場の作業者が型枠を容易に持ち運ぶことができる。
【発明の効果】
【００１０】
本発明によれば、コンクリート打設時の型枠の浮き上がり防止と、型枠の持ち運び容易性（ポータビリティー）の確保を、同時に実現することができる。
【図面の簡単な説明】
【００１１】
【図１】本発明の実施の形態におけるコンクリート基礎施工セットの構成の説明図
【図２】本発明の実施の形態におけるプレキャストコンクリート基礎ブロックの構成の説明図
【図３】本発明の実施の形態における型枠の構成の説明図
【図４】本発明の実施の形態における基礎の施工方法の説明図
【図５】本発明の実施の形態における基礎の施工方法の説明図
【図６】本発明の実施の形態における基礎の施工方法の説明図
【発明を実施するための形態】
【００１２】
以下、本発明の実施の形態のコンクリート基礎施工セットについて、図面を用いて説明する。本実施の形態では、建物の布基礎の施工等に用いられるコンクリート基礎施工セットの場合を例示する。
【００１３】
本発明の実施の形態のコンクリート基礎施工セットの構成を、図１〜図３を参照して説明する。図１は、コンクリート基礎施工セットの構成を示す説明図である。図２は、プレキャストコンクリート基礎ブロックの構成を示す説明図であり、図３は、型枠の構成を示す説明図である。
【００１４】
図１に示すように、コンクリート基礎施工セット１は、プレキャストコンクリート基礎ブロック２と、一対の型枠３を備えている。一対の型枠３は、施工現場でコンクリートを打設する際に、プレキャストコンクリート基礎ブロック２を外側から挟むように設置される（図５参照）。なお、図１では、説明の便宜上、Ｉ字型のプレキャストコンクリート基礎ブロック２が１つだけ図示されているが、プレキャストコンクリート基礎ブロック２の形状（Ｌ字型、Ｔ字型、十字型など）や個数は、施工する基礎の形状や大きさに応じて適宜変更してよいことは言うまでもない。
【００１５】
図２に示すように、プレキャストコンクリート基礎ブロック２は、水平方向に延びる底板状のベース部４と、ベース部４の中央部から垂直方向に立ち上がる縦板状の立ち上がり部５と、を備えている。プレキャストコンクリート基礎ブロック２の両側の端面には、凹凸形状のシアコッター６が設けられている。このシアコッター６（凹凸形状）を設けることにより、プレキャストコンクリート基礎ブロック２と、現場打ちのコンクリートとの一体化強度が向上する。また、プレキャストコンクリート基礎ブロック２の内部には、複数本（例えば６本）の鉄筋７が埋設されており、それらの鉄筋７は、シアコッター６が設けられている部分から外部に突出している（図１など参照）。
【００１６】
図３に示すように、型枠３は、プレキャストコンクリート基礎ブロック２のベース部４の側面（図２における左右の側面）に沿うように形成される第１平面部８と、ベース部４の上面（図２における上面）に沿うように第１平面部８から屈曲して形成される第２平面部９と、プレキャストコンクリート基礎ブロック２の立ち上がり部５の側面（図２における左右の側面）に沿うように第２平面部９から屈曲して形成される第３平面部１０を備えている。一対の型枠３は、施工現場でコンクリートを打設する際に、プレキャストコンクリート基礎ブロック２を外側から挟むように設置された状態で、固定部材１１によって固定（型締め）される（図３参照）。固定部材１１としては、例えば、固定用ボルトなどが利用できる。図１に示すように、型枠３の第３平面部１０には、固定部材１１を挿通するための穴が設けられている。また、型枠３の第２平面部９には、コンクリートを打設するときに空気を逃がすための空気穴が設けられている。
【００１７】
型枠３は、金属製（例えば、鋼製）であり、一対の型枠３の各々（ひとつの型枠３）の重量は、好ましくは、４３ｋｇ以下、より好ましくは、３８ｋｇ以下である。また、第２平面部９の面積あたりの型枠３の重量は、好ましくは、０．０４２ｋｇ／ｃｍ2以上、より好ましくは、０．０４７ｋｇ／ｃｍ2以上である。この場合、型枠３の第２平面部９の面積（打設されるコンクリートから上向きの圧力を受ける部分の面積）は、９００ｃｍ2である。一つの例として、型枠３の重量は、４３ｋｇであり、第２平面部９の面積あたりの型枠３の重量は、０．０４７ｋｇ／ｃｍ2である。また、他の例として、型枠３の重量は、３８ｋｇであり、第２平面部９の面積あたりの型枠３の重量は、０．０４２ｋｇ／ｃｍ2である。
【００１８】
以上のように構成されたコンクリート基礎施工セット１について、図４〜図６を参照してその動作を説明する。
【００１９】
図４に示すように、施工現場では、まず、複数のプレキャストコンクリート基礎ブロック２が所定の間隔をあけて設置され、プレキャストコンクリート基礎ブロック２からそれぞれ突出している鉄筋７が互いに結束される。なお、図４の例では、説明の便宜上、２つのプレキャストコンクリート基礎ブロック２が図示されているが、プレキャストコンクリート基礎ブロック２の個数がこれに限定されないことは勿論である。
【００２０】
つぎに、図５に示すように、プレキャストコンクリート基礎ブロック２を外側から挟むように一対の型枠３を設置する。この一対の型枠３によって２つのプレキャストコンクリート基礎ブロック２の間にコンクリート打設用の空間（図３において斜線で図示）が形成される。そして、一つの型枠３を固定部材１１で固定（型締め）した後、２つのプレキャストコンクリート基礎ブロック２の間かつ一対の型枠３の間に形成された空間（コンクリート打設用の空間）に、コンクリートを打設する。
【００２１】
打設したコンクリートが十分に硬化した後、固定部材１１を取り外し、一対の型枠３を取り外すと、図６に示すように、プレキャストコンクリート基礎ブロック２と現場打ちのコンクリート（図６において斜線で図示）が一体化した基礎が構築される。
【００２２】
このような本発明の実施の形態のコンクリート基礎施工セット１によれば、コンクリート打設時の型枠３の浮き上がり防止と、型枠３の持ち運び容易性（ポータビリティー）の確保を、同時に実現することができる。
【００２３】
すなわち、本実施の形態では、施工現場で、まず、複数のプレキャストコンクリート基礎ブロック２が所定の間隔をあけて設置され、それらのプレキャストコンクリート基礎ブロック２の間にコンクリートを打設するときには、プレキャストコンクリート基礎ブロック２を外側から挟むように一対の型枠３が設置される。そうすると、一対の型枠３によって２つのプレキャストコンクリート基礎ブロック２の間にコンクリート打設用の空間が形成され、その空間にコンクリートが打設される。この場合、第２平面部９の面積あたりの型枠３の重量は、４３ｋｇ／ｃｍ2以上であるため、打設されるコンクリートから受ける圧力（上向きの圧力）によって型枠３が浮き上がるのを、型枠３の自重により防止することができる。その一方、型枠３ひとつの重量は、０．０４２ｋｇ以下であるため、施工現場の作業者が型枠３を容易に持ち運ぶことができる。
【００２４】
以上、本発明の実施の形態を例示により説明したが、本発明の範囲はこれらに限定されるものではなく、請求項に記載された範囲内において目的に応じて変更・変形することが可能である。
【産業上の利用可能性】
【００２５】
以上のように、本発明にかかるコンクリート基礎施工セットは、コンクリート打設時の型枠の浮き上がり防止と、型枠の持ち運び容易性（ポータビリティー）の確保を、同時に実現できるという効果を有し、例えば、大規模な被災地で多数の建物を建て直すときの建物の布基礎の施工等に用いられ、有用である。
【符号の説明】
【００２６】
１  コンクリート基礎施工セット
２  プレキャストコンクリート基礎ブロック
３  型枠
４  ベース部
５  立ち上がり部
６  シアコッター
７  鉄筋
８  第１平面部
９  第２平面部
１０  第３平面部
１１  固定部材
【図１】
2014070465.tif 000003
【図２】
2014070465.tif 000004
【図３】
2014070465.tif 000005
【図４】
2014070465.tif 000006
【図５】
2014070465.tif 000007
【図６】
2014070465.tif 000008